(57)【要約】【課題】従来と比して一段と搬送不良を低減する。【解決手段】現金自動取引装置１は、取引すべき紙幣を外部から取り込む入出金部１４と、紙幣を搬送する搬送部１５と、回転可能に支持され、紙幣を周側面３１Ｓに巻き付けるドラム３１と、ドラム３１の回転に伴い該周側面３１Ｓとの間に紙幣を挟んで巻き付けるテープ４２と、ドラム３１の周側面３１Ｓから離れた位置に配され、搬送方向に沿って搬送される紙幣における搬送方向に直交する搬送幅方向においてテープ４２が紙幣に当接する箇所以外の部分において紙幣に対向し紙幣の搬送をガイドする上側搬送ガイド３２とを設け、上側搬送ガイド３２においてドラム３１と対向するリブ先端部７０ＬＴ及び７０ＲＴは、搬送幅方向においてテープ４２から離隔する側とドラム３１の周側面３１Ｓとの間隔が、搬送幅方向においてテープ４２に近接する側とドラム３１の周側面３１Ｓとの間隔以上であるようにする。【選択図】図８
2019139318.tif 000002
【特許請求の範囲】
【請求項１】
回転可能に支持され、紙葉状の媒体を周側面に巻き付けるドラムと、
前記ドラムの回転に伴い前記周側面との間に前記媒体を挟んで巻き付けるテープと、
前記ドラムの周側面から離れた位置に配され、搬送方向に沿って搬送される前記媒体における前記搬送方向に直交する搬送幅方向において前記テープが前記媒体に当接する箇所以外の部分において前記媒体に対向し前記媒体の搬送をガイドする媒体搬送ガイドと
を有し、
前記媒体搬送ガイドにおいて前記ドラムと対向する先端部は、前記搬送幅方向において前記テープから離隔する側と前記ドラムの周側面との間隔が、前記搬送幅方向において前記テープに近接する側と前記ドラムの周側面との間隔以上である
媒体処理装置。
【請求項２】
前記媒体搬送ガイドは、前記ドラムと対向する先端部分において、前記搬送幅方向に沿って複数の搬送リブが形成される
請求項１に記載の媒体処理装置。
【請求項３】
複数の前記搬送リブは、前記テープから前記搬送幅方向へ離隔するに連れて先端と前記ドラムの周側面との間隔が広くなる
請求項２に記載の媒体処理装置。
【請求項４】
複数の前記搬送リブの先端を結ぶ仮想線は直線状である
請求項３に記載の媒体処理装置。
【請求項５】
前記媒体搬送ガイドには、搬送される前記媒体の一方の面に対向するガイド面に対し傾斜し、前記搬送方向と前記媒体の厚み方向とに対向する傾斜ガイド面が形成されている
請求項２に記載の媒体処理装置。
【請求項６】
複数の前記搬送リブにおいて、前記ガイド面と前記傾斜ガイド面とが接するリブ屈曲部における前記搬送方向の位置は同等に形成されている
請求項５に記載の媒体処理装置。
【請求項７】
複数の前記搬送リブにおいて、前記ガイド面と前記傾斜ガイド面とが接するリブ屈曲部における前記搬送方向の位置は、前記テープから前記搬送幅方向へ離隔するに連れて前記ドラムの周側面から離隔する
請求項５に記載の媒体処理装置。
【請求項８】
前記テープは、前記媒体における前記搬送幅方向の中央付近に当接する
請求項１に記載の媒体処理装置。
【請求項９】
前記テープは、１本のみ配される
請求項８に記載の媒体処理装置。
【請求項１０】
前記媒体搬送ガイドは、前記媒体における、前記ドラムの回転軸と対向していた側の面をガイドする
請求項１に記載の媒体処理装置。
【請求項１１】
前記媒体の巻き付け量によって変化する前記ドラムのドラム径に追従して可動するよう前記媒体搬送ガイドに設けられ、前記ドラムの周側面と前記媒体搬送ガイドとの間で前記媒体をガイドする可動ガイドをさらに有し、
前記媒体搬送ガイドは、前記ドラムの周側面から離れた位置に固定され前記媒体の搬送をガイドする
請求項１０に記載の媒体処理装置。
【請求項１２】
取引すべき紙葉状の媒体を外部から取り込む取込部と、
前記媒体を搬送する搬送部と、
回転可能に支持され、前記媒体を周側面に巻き付けるドラムと、
前記ドラムの回転に伴い前記周側面との間に前記媒体を挟んで巻き付けるテープと、
前記ドラムの周側面から離れた位置に配され、搬送方向に沿って搬送される前記媒体における前記搬送方向に直交する搬送幅方向において前記テープが前記媒体に当接する箇所以外の部分において前記媒体に対向し前記媒体の搬送をガイドする媒体搬送ガイドと
を有し、
前記媒体搬送ガイドにおいて前記ドラムと対向する先端部は、前記搬送幅方向において前記テープから離隔する側と前記ドラムの周側面との間隔が、前記搬送幅方向において前記テープに近接する側と前記ドラムの周側面との間隔以上である
媒体取引装置。
【発明の詳細な説明】
【技術分野】
【０００１】
本発明は媒体処理装置及び媒体取引装置に関し、例えば紙幣等の媒体を投入して所望の取引を行う現金自動取引装置（ＡＴＭ：Automatic Teller Machine）等に適用して好適なものである。
【背景技術】
【０００２】
従来、金融機関や店舗等で使用される現金自動取引装置等においては、顧客との取引内容に応じて、顧客に紙幣や硬貨等の現金を入金させ、また顧客へ現金を出金する。現金自動取引装置としては、顧客との間で紙幣の授受を行う入出金部と、投入された紙幣の金種及び真偽を鑑別すると共に紙幣の記番号を識別する鑑別部と、投入された紙幣を一時的に保留する一時保留部と、紙幣を搬送する搬送部と、金種毎に紙幣を格納する紙幣収納庫とを有する紙幣入出金機を内蔵するものがある。
【０００３】
一時保留部としては、例えば回転する円筒状のドラムと、該ドラムの周側面に一端が固定されたテープと、このテープが巻回されるリールと、テープを所望の走行経路に沿って走行させる複数のローラ等を有するものがある。この一時保留部は、ドラムの周側面にテープと共に紙幣を巻き付けることで該紙幣を収納し、また該周側面からテープと共に紙幣を引き剥がして繰り出す（例えば、特許文献１参照）。
【０００４】
ここで、図１７に、１本のテープで紙幣をドラム３１に押さえ付ける一時保留部１０１７を示す。この一時保留部１０１７は、図示しないリールから引き出されたテープ４２をフィードローラ４５により後方へ折り返し、ドラム当接ローラ３５とドラム３１との間に入り込ませ、ドラム当接ローラ３５によりドラム３１の周側面３１Ｓに押し付ける。さらにテープ４２は、ドラム３１の周側面３１Ｓに沿ってドラム３１の後側を半周して上端まで進み、さらに周側面３１Ｓを１／８周〜１／４周程度進んだ地点で周側面３１Ｓから引き離され、ドラム３１の前方斜め下に位置する第２テープローラ４６へと向かう。その後テープ４２は、第２テープローラ４６に掛け渡され、第２テープローラ４６により後方に折り返される。さらにテープ４２は、フィードローラ４５の上部に掛け渡されて後方へと向かい、ドラム当接ローラ３５とドラム３１との間に入り込んで、ドラム３１の周側面３１Ｓに押し付けられ、最終的にドラム３１に巻き取られる。
【０００５】
この一時保留部１０１７は、テープ４２における、フィードローラ４５により折り返された部分と第２テープローラ４６により折り返された部分とが上下に重なるようになっており、この重なる部分（これを紙幣搬送部分と呼ぶ）で紙幣（図示せず）の中央を挟持して搬送する。そして一時保留部１０１７は、紙幣をテープ４２と共にドラム３１に巻き付けて収納し、また、テープ４２と共にドラム３１に巻き付けられた紙幣を、テープ４２と共にドラム３１から引き剥がして繰り出す。
【０００６】
一時保留部１０１７内部と外部とで紙幣を受け渡す挿通孔（図示せず）とドラム３１との間における紙幣の搬送経路の上側には、搬送される紙幣の上側を案内する上側搬送ガイド１０３２が設けられている。上側搬送ガイド１０３２は、その下面がほぼ平坦且つほぼ水平なガイド面となっている。図１７（Ｂ）に示すように上側搬送ガイド１０３２は、テープ４２の左右両側において後方に延びる櫛歯状の左右対称の搬送リブ１０７０Ｌ及び１０７０Ｒが形成されている。搬送リブ１０７０Ｌ及び１０７０Ｒにおける後端でありドラム３１と対向するリブ先端部１０７０ＬＴ及び１０７０ＲＴは、全ての櫛歯が同じ長さとなっており、ドラム３１とリブ先端部１０７０ＬＴ及び１０７０ＲＴとの間隔であるドラムリブ間隔が互いに同一となっている。
【先行技術文献】
【特許文献】
【０００７】
【特許文献１】特開２０１６−２１６１８３号公報
【発明の概要】
【発明が解決しようとする課題】
【０００８】
しかしながら従来の一時保留部１０１７は、例えば図１８及び図１９に示すように、ドラム３１の周側面３１Ｓから引き剥がされた直後の紙幣ＢＬが、中央をテープ４２のみで挟持された状態となるため、例えば、この紙幣ＢＬに両端が持ち上がるような折れ癖が付いていると、紙幣の両端が持ち上がってしまう。この結果、図２０に示すように、紙幣ＢＬの持ち上がった部分が、上側搬送ガイド３２の搬送リブ１０７０の先端等、一時保留部１０１７内の紙幣ＢＬが接触すべきでない部分に接触して搬送不良を引き起こしてしまうことがあった。
【０００９】
特に図２１に示すように長手方向の一端側（例えば右側）が先行するよう傾いてスキューした紙幣ＢＬは、スキューしていない場合と比較して紙幣ＢＬの右側における搬送方向先端側の端部が先行量Ｓだけ先行して搬送される。この場合、搬送リブ１０７０Ｒａ及び１０７０Ｒｂよりも先に搬送リブ１０７０Ｒｃに紙幣ＢＬが接触してしまい、搬送リブ１０７０Ｒｃの先端に紙幣ＢＬが引っ掛かりやすい。
【００１０】
本発明は以上の点を考慮してなされたもので、従来と比して一段と搬送不良を低減する媒体処理装置及び媒体取引装置を提案しようとするものである。
【課題を解決するための手段】
【００１１】
かかる課題を解決するため本発明の媒体処理装置においては、回転可能に支持され、紙葉状の媒体を周側面に巻き付けるドラムと、ドラムの回転に伴い該周側面との間に媒体を挟んで巻き付けるテープと、ドラムの周側面から離れた位置に配され、搬送方向に沿って搬送される媒体における搬送方向に直交する搬送幅方向においてテープが媒体に当接する箇所以外の部分において媒体に対向し媒体の搬送をガイドする媒体搬送ガイドとを設け、媒体搬送ガイドにおいてドラムと対向する先端部は、搬送幅方向においてテープから離隔する側とドラムの周側面との間隔が、搬送幅方向においてテープに近接する側とドラムの周側面との間隔以上であるようにした。
【００１２】
また本発明の媒体取引装置においては、取引すべき紙葉状の媒体を外部から取り込む取込部と、媒体を搬送する搬送部と、回転可能に支持され、媒体を周側面に巻き付けるドラムと、ドラムの回転に伴い該周側面との間に媒体を挟んで巻き付けるテープと、ドラムの周側面から離れた位置に配され、搬送方向に沿って搬送される媒体における搬送方向に直交する搬送幅方向においてテープが媒体に当接する箇所以外の部分において媒体に対向し媒体の搬送をガイドする媒体搬送ガイドとを設け、媒体搬送ガイドにおいてドラムと対向する先端部は、搬送幅方向においてテープから離隔する側とドラムの周側面との間隔が、搬送幅方向においてテープに近接する側とドラムの周側面との間隔以上であるようにした。
【００１３】
本発明は、媒体における搬送幅方向に沿う方向のうちテープに押さえられており捲れ量が少ない中央部から端部に向かって、徐々に媒体搬送ガイドに媒体を当接させ、少しずつ媒体の捲れを押さえつつ搬送できる。
【発明の効果】
【００１４】
本発明によれば、従来と比して一段と搬送不良を低減する媒体処理装置及び媒体取引装置を実現できる。
【図面の簡単な説明】
【００１５】
【図１】現金自動取引装置の構成を示す斜視図である。
【図２】現金自動取引装置の内部構成を示す左側面図である。
【図３】紙幣入出金機の構成を示す左側面図である。
【図４】第１の実施の形態による一時保留部の内部構成（１）を示す左側面図である。
【図５】第１の実施の形態による一時保留部の内部構成（２）を示す斜視図である。
【図６】上側可動ガイド及び上側搬送ガイドの構成を示す斜視図である。
【図７】紙幣が上側可動ガイドによってガイドされる様子を示す左側面図である。
【図８】第１の実施の形態による搬送リブの構成を示し、（Ａ）は左側面図、（Ｂ）は平面図である。
【図９】第１の実施の形態による搬送リブにおいて紙幣が繰り出される様子（１）を示し、（Ａ）は左側面図、（Ｂ）は平面図である。
【図１０】第１の実施の形態による搬送リブにおいて紙幣が繰り出される様子（２）を示し、（Ａ）は左側面図、（Ｂ）は平面図である。
【図１１】第１の実施の形態による搬送リブにおいて紙幣が繰り出される様子（３）を示し、（Ａ）は左側面図、（Ｂ）は平面図である。
【図１２】第２の実施の形態による搬送リブの構成を示す平面図である。
【図１３】第３の実施の形態による搬送リブの構成を示す平面図である。
【図１４】第４の実施の形態による搬送リブの構成を示す平面図である。
【図１５】第５の実施の形態による搬送リブの構成を示す平面図である。
【図１６】他の実施の形態による搬送リブの構成を示す平面図である。
【図１７】従来の搬送リブの構成を示し、（Ａ）は左側面図、（Ｂ）は平面図である。
【図１８】両端部が反った紙幣（１）を示す斜視図である。
【図１９】両端部が反った紙幣（２）を示す断面図である。
【図２０】従来の一時保留部において紙幣が繰り出される様子を示す左側面図である。
【図２１】従来の一時保留部においてスキュー紙幣が繰り出される様子を示す平面図である。
【発明を実施するための形態】
【００１６】
以下、発明を実施するための形態（以下実施の形態とする）について、図面を用いて説明する。
【００１７】
［１．第１の実施の形態］
［１−１．現金自動取引装置の構成］
図１に外観を示すように、現金自動取引装置１は、箱状の筐体２を中心に構成されており、例えば金融機関等に設置され、顧客との間で入金取引や出金取引等の現金に関する取引を行う。筐体２は、その前側に顧客が対峙した状態で紙幣の投入やタッチパネルによる操作等をしやすい箇所に顧客応対部３が設けられている。
【００１８】
顧客応対部３は、カード入出口４、入出金口５、操作表示部６、テンキー７及びレシート発行口８が設けられており、顧客との間で現金や通帳等を直接やり取りすると共に、取引に関する情報の通知や操作指示の受付を行う。カード入出口４は、キャッシュカード等の各種カードが挿入又は排出される部分である。カード入出口４の奥側には、各種カードに磁気記録された口座番号等の読み取りを行うカード処理部（図示せず）が設けられている。入出金口５は、顧客が入金する紙幣が投入されると共に、顧客へ出金する紙幣が排出される部分である。入出金口５は、シャッタを駆動することにより開放又は閉塞する。操作表示部６は、取引に際して操作画面を表示するＬＣＤ（Liquid Crystal Display）と、取引の種類の選択、暗証番号や取引金額等を入力するタッチパネルとが一体化されている。テンキー７は、「０」〜「９」の数字等の入力を受け付ける物理的なキーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００１９】
筐体２内には、現金自動取引装置１全体を統括制御する主制御部９や、紙幣に関する種々の処理を行う紙幣入出金機１０等が設けられている。主制御部９は、図示しないＣＰＵ（Central Processing Unit）を中心に構成されており、ＲＯＭ（Read Only Memory）、ＲＡＭ（Random Access Memory）、ハードディスクドライブやフラッシュメモリ等でなる記憶部から所定のプログラムを読み出して実行することにより、各部を制御して入金取引や出金取引等の種々の処理を行う。
【００２０】
筐体２は、前面側及び後面側に、開閉可能な扉が設けられている。筐体２は、顧客との間で取引処理が行われる取引動作時の場合には扉を閉鎖することにより、現金自動取引装置１の内部を保護する。一方筐体２は、行員や金融機関の保守員等により保守作業が行われる保守作業時の場合には、必要に応じて扉を開放することにより、内部の各部に対する作業を容易に行わせ得る。以下では、現金自動取引装置１のうち顧客が対峙する側を前側とし、その反対を後側とし、該前側に対峙した顧客から見て左、右、上及び下をそれぞれ左側、右側、上側及び下側として説明する。
【００２１】
［１−２．紙幣入出金機の内部構成］
図２及び図３に示すように紙幣入出金機１０は、大きく分けて、上下方向のほぼ中央よりも上側部分を占める上部ユニット１０Ｕと、その下側部分を閉める下部ユニット１０Ｄとにより構成されており、内部に紙幣に関する種々の処理を行う複数の部分が組み込まれている。
【００２２】
［１−２−１．上部ユニットの構成］
上部ユニット１０Ｕは、フレームに各種機構が固定され、紙幣制御部１２（図１）が各部（入出金部１４、搬送部１５、鑑別部１６、一時保留部１７、紙幣収納庫１８、上側リジェクト庫１９Ｕ及び下側リジェクト庫１９Ｄ）を統括制御する。
【００２３】
紙幣制御部１２（図１）は、図示しないＣＰＵを中心に構成されており、ＲＯＭ、ＲＡＭ、ハードディスクドライブやフラッシュメモリ等でなる記憶部１３（図１）から所定のプログラムを読み出して実行することにより、各部を制御して入金取引や出金取引等の種々の処理を行う。記憶部１３は、鑑別部１６が紙幣を鑑別した鑑別結果及び紙幣の記番号の識別結果等を取引情報と合わせて記憶する。
【００２４】
入出金部１４（図３）は、紙幣入出金機１０における前方上側に配され、顧客から投入された紙幣を１枚ずつ分離し搬送部１５へ繰り出す。入出金部１４の入出金口５（図１）には、シャッタが設けられている。入出金部１４は、入金取引時において顧客に紙幣を投入させる場合と、出金取引時において顧客に紙幣を受け渡す場合、シャッタを後方向へスライド移動させてシャッタ開放状態とすることにより入出金口５を開放させる。一方入出金部１４は、入金取引時及び出金取引時以外の場合は、シャッタを前方向へスライド移動させて入出金口５を閉塞させシャッタ閉塞状態とすることにより、入出金部１４からの紙幣の取り出しや外部からの入出金部１４への悪戯等を防止する。
【００２５】
搬送部１５は、図示しないローラやベルト等により、図中太線で示す搬送路に沿って長方形の紙幣を短手方向に搬送する。搬送部１５は、鑑別部１６を前後方向に挿通させるように紙幣を搬送し、該鑑別部１６の後側と一時保留部１７、上側リジェクト庫１９Ｕ及び入出金部１４とをそれぞれ接続している。また搬送部１５は、鑑別部１６の前側と入出金部１４、紙幣収納庫１８及び下側リジェクト庫１９Ｄとを接続している。搬送部１５の分岐点には、セレクタ（図示せず）が設けられており、紙幣制御部１２（図１）の制御に基づき回動することにより、紙幣の搬送先を切り替える。
【００２６】
鑑別部１６は、その内部で紙幣を搬送しながら、光学素子や磁気検出素子等を用いて該紙幣の金種及び真偽、並びに損傷の程度等（正損）を鑑別し、その鑑別結果を紙幣制御部１２へ通知する。また鑑別部１６は、撮像した紙幣の画像データから、紙幣毎に付与されその紙幣の一面に予め印刷された英数字等で構成された記番号を読み取り識別する。このとき鑑別部１６は、識別した字を識別結果として紙幣制御部１２へ通知する。これに応じて紙幣制御部１２は、取得した鑑別結果及び識別結果に基づいて紙幣の搬送先を決定する。
【００２７】
一時保留部１７は、入金時に顧客が入出金部１４へ投入した紙幣を一時的に保留し、鑑別部１６で入金可能と鑑別された入金可能紙幣を入金が確定するまで一時的に保留する。一方、入金不可と鑑別された入金リジェクト紙幣は入出金部１４へ排出される。また一時保留部１７は、出金時において鑑別部１６で出金不可能と鑑別された出金不可紙幣を、出金可能な紙幣が出金されるまで一時的に保留し、その後該出金不可紙幣を上側リジェクト庫１９Ｕへ排出する。
【００２８】
上側リジェクト庫１９Ｕは、直方体状に形成されると共に内部に紙幣を集積して収納する空間を有している。この上側リジェクト庫１９Ｕは、鑑別部１６及び紙幣制御部１２により、破損した紙幣（いわゆる損券）と鑑別された紙幣、偽造券と判別された紙幣及び５千券や２千券等の還流されない金種の紙幣等、再利用すべきで無いと判断された紙幣が搬送部１５により搬送されて来ると、該紙幣を内部に収納する。
【００２９】
［１−２−２．下部ユニットの構成］
下部ユニット１０Ｄには、筐体２に取り付けられた下部フレーム２０が設けられている。下部フレーム２０には、再利用可能な紙幣を収納する複数の紙幣収納庫１８と、再利用すべきでない紙幣を収納する下側リジェクト庫１９Ｄとが着脱可能に設けられている。
【００３０】
下部ユニット１０Ｄ（図３）は、紙幣収納庫１８及び下側リジェクト庫１９Ｄの上面に振分搬送部２１が取り付けられている。振分搬送部２１は、搬送モータ、センサ及びブレード等の複数種類の搬送路形成部品により、上部ユニット１０Ｕから搬送されたリジェクト紙幣や正常な紙幣を、搬送先を適宜切り換えて下側リジェクト庫１９Ｄや紙幣収納庫１８へ振り分けるように搬送する。
【００３１】
下部フレーム２０内には、前側から後側へ向けて順に５個の紙幣収納庫１８が設けられている。各紙幣収納庫１８は、何れも同様に構成されており、上下方向に長い直方体状に形成されると共に内部に紙幣を集積して収納する空間を有している。各紙幣収納庫１８は、それぞれ収納すべき紙幣の金種が予め設定されている。この紙幣収納庫１８は、鑑別部１６及び紙幣制御部１２により損傷の程度が小さく再利用が可能であると判断された紙幣が、その金種に応じて搬送部１５により搬送されてくると、該紙幣を内部に集積して収納する。また紙幣収納庫１８は、紙幣制御部１２から紙幣を繰り出す指示を受け付けると、集積している紙幣を１枚ずつに分離して繰り出し、搬送部１５に受け渡す。
【００３２】
下側リジェクト庫１９Ｄは、下部フレーム２０内における紙幣収納庫１８の後方に位置しており、上下方向に長い直方体状に形成されると共に内部に紙幣を集積して収納する空間を有している。この下側リジェクト庫１９Ｄは、鑑別部１６及び紙幣制御部１２により、破損した紙幣（いわゆる損券）と鑑別された紙幣、偽造券と判別された紙幣及び５千券や２千券等の還流されない金種の紙幣等、再利用すべきで無いと判断された紙幣が搬送部１５により搬送されて来ると、該紙幣を内部に収納する。
【００３３】
かかる構成において現金自動取引装置１は、鑑別部１６による紙幣の鑑別結果及び識別結果等をもとに主制御部９及び紙幣制御部１２が各部を制御して、紙幣の入金処理及び出金処理等を行う。
【００３４】
［１−３．一時保留部の構成］
図４及び図５に示すように、一時保留部１７は、フレーム３０により外側が覆われており、その内部に各部品が取り付けられている。なお図３は、一時保留部１７の左側面図を模式的に表したものであり、説明の都合上、一部の部品を透過、若しくは省略、又は簡略化している。
【００３５】
フレーム３０内の中央付近には、紙幣が搬送される搬送方向に直交する搬送幅方向である左右方向に延びる回転軸３１Ｘを中心に回転する円筒状のドラム３１が設けられている。ドラム３１は、図示しないモータ等からの駆動力が伝達されることにより、巻取方向Ｒ１又は巻戻方向Ｒ２へ回転する。ドラム３１は、詳しくは後述するが、その周側面３１Ｓに紙幣が巻き付けられると、図４（Ｂ）に示すようにドラム３１の外周に巻付層３１Ｗが形成される。このときのドラム３１は、紙幣が巻き付けられていない状態（図４（Ａ））と比較して、ドラム３１の径に巻付層３１Ｗの厚さを足した見かけ上の径が大きくなる。以下ではこの見かけ上の径をドラム径と呼ぶ。また、ドラム３１に紙幣が巻き付けられているときには、巻付層３１Ｗの最外周を周側面３１Ｓとする。つまり、ドラム３１に紙幣が巻き付けられていくと、ドラム径が大きくなっていくと共に周側面３１Ｓがドラム３１の回転軸３１Ｘから離れていくことになる。
【００３６】
フレーム３０の前面には、紙幣を挿通させるための挿通孔３０Ｈが穿設されている。この挿通孔３０Ｈの後方には、紙幣を上下からそれぞれ案内する上側搬送ガイド３２及び下側搬送ガイド３３が設けられている。上側搬送ガイド３２は、その下面がほぼ平坦且つほぼ水平なガイド面となっており、フレーム３０に固定されている。下側搬送ガイド３３は、その上面がほぼ平坦且つほぼ水平なガイド面となっており、上側搬送ガイド３２の下面との間に例えば５［ｍｍ］程度の隙間を形成するようにして、フレーム３０に固定されている。つまり、一時保留部１７は、上側搬送ガイド３２と下側搬送ガイド３３の隙間に沿って紙幣を前後方向へ案内する。上側搬送ガイド３２及び下側搬送ガイド３３は、例えば樹脂材料で成形されている。
【００３７】
また、下側搬送ガイド３３の後側には、ドラム３１の下側に位置するように下側可動ガイド３４が設けられている。下側可動ガイド３４は、その前半分部分の上面が、下側搬送ガイド３３の上面を延長したような平坦なガイド面となっている。また、下側可動ガイド３４は、その後半分部分の上面が、ドラム３１の周側面３１Ｓに沿うように湾曲したガイド面となっている。下側可動ガイド３４も、例えば樹脂材料で成形されている。
【００３８】
下側可動ガイド３４の後半分部分においてドラム３１のほぼ真下となる位置には、ドラム当接ローラ３５が設けられている。ドラム当接ローラ３５は、左右方向に延びる円柱状であり、下側可動ガイド３４に回転可能に支持されている。このドラム当接ローラ３５は、上側の一部分が下側可動ガイド３４の上面より上方に突出してドラム３１の周側面３１Ｓに当接する。この下側可動ガイド３４は、その前端部分が、下側搬送ガイド３３の後端部分に回動可能に支持されており、トーションスプリング等によってドラム３１の周側面３１Ｓに押し付ける方向に付勢されている。これにより下側可動ガイド３４は、ドラム３１のドラム径の変化に追従するように可動して、常にドラム当接ローラ３５をドラム３１の周側面３１Ｓに当接させる。
【００３９】
また、ドラム３１の後方斜め下には、左右方向のほぼ中央に、左右方向に延びる回転軸４１Ｘを中心に回転する糸巻状のリール４１が設けられている。リール４１は、左右方向の長さがドラム３１と比較して十分短く形成されている。また、リール４１は、図示しないモータ等からの駆動力が伝達されることにより、引出方向Ｓ１又は巻取方向Ｓ２へ回転する。このリール４１には、１本のテープ４２が巻き取られている。テープ４２は、例えば比較的柔らかい樹脂材料であり、細長く薄いフィルム状に形成されている。テープ４２の幅（左右方向の長さ）は、リール４１の幅よりも僅かに短く、ドラム３１の左右方向の長さよりも十分短くなっている。テープ４２は、その一端が、リール４１の周側面に固定されている。
【００４０】
リール４１の前方には、ローラ４３が配置されている。このローラ４３の前方で、且つドラム当接ローラ３５よりも前方となる位置には、下側可動ガイド３４に回転可能に支持された第１テープローラ４４が配置されている。ローラ４３及び第１テープローラ４４は、それぞれ左右方向に延びる円柱状であり、左右方向の長さがドラム３１と比較して十分短く形成されている。さらに下側可動ガイド３４には、第１テープローラ４４とドラム当接ローラ３５との間にフィードローラ４５が設けられている。フィードローラ４５は、左右方向に延びる円柱状であり、下側可動ガイド３４により回転可能に支持されている。このフィードローラ４５は、ドラム当接ローラ３５と同様、上側の一部分が下側可動ガイド３４の上面より上方に突出する。またこのフィードローラ４５も、左右方向の長さがドラム３１と比較して十分短く形成されている。またフィードローラ４５の前方には、テープ４２を通すための孔（図示せず）が穿設されている。この孔は、下側可動ガイド３４を上下方向に貫通していて左右方向の長さが、テープ４２の幅よりも大きくなっている。
【００４１】
一方上側搬送ガイド３２内には、第２テープローラ４６が設けられている。この第２テープローラ４６は、左右方向に延びる円柱状であり、上側搬送ガイド３２により回転可能に支持されている。この第２テープローラ４６も、左右方向の長さがドラム３１と比較して十分短く形成されている。また上側搬送ガイド３２にも、テープ４２を通すための孔（図示せず）が設けられている。この孔は、上側搬送ガイド３２の後面から第２テープローラ４６の上側へと延び、第２テープローラ４６の前側の周側面を通って、上側搬送ガイド３２の下面へと通じる孔であり、左右方向の長さがテープ４２の幅よりも大きくなっている。ドラム当接ローラ３５、ローラ４３、第１テープローラ４４、フィードローラ４５及び第２テープローラ４６は、それぞれ左右方向の長さが、テープ４２の左右方向の長さ（すなわちテープ幅）よりも僅かに長くなっている。
【００４２】
リール４１に巻き取られているテープ４２は、リール４１から前方へと引き出された後、ローラ４３、第１テープローラ４４へと順に掛け渡されて、第１テープローラ４４により後方斜め上に折り返される。さらにテープ４２は、フィードローラ４５の上部に掛け渡されて後方へと向かい、ドラム当接ローラ３５とドラム３１との間に入り込んで、ドラム当接ローラ３５によりドラム３１の周側面３１Ｓに押し付けられる。さらにテープ４２は、ドラム３１の周側面３１Ｓに沿ってドラム３１の後側を半周して上端まで進み、周側面３１Ｓを１／８周〜１／４周程度進んだ地点で周側面３１Ｓから引き離され、ドラム３１の前方斜め下に位置する第２テープローラ４６へと向かう。その後、テープ４２は、第２テープローラ４６に掛け渡され、第２テープローラ４６により後方に折り返される。さらにテープ４２は、フィードローラ４５の上部に掛け渡されて後方へと向かい、ドラム当接ローラ３５とドラム３１との間に入り込んで、ドラム３１の周側面３１Ｓに押し付けられ、最終的にドラム３１に巻き取られる。なお、テープ４２の先端は、ドラム３１の周側面３１Ｓの左右方向の中央に固定されている。
【００４３】
またテープ４２は、第１テープローラ４４により折り返された部分と第２テープローラ４６により折り返された部分のうち、フィードローラ４５からドラム３１の周側面３１Ｓまでの間で上下に重なる。さらにテープ４２は、詳しくは後述するが、図５に示すように、フィードローラ４５と周側面３１Ｓとの間の重なる部分で紙幣ＢＬを挟持して前後方向に搬送する。なお、フィードローラ４５と周側面３１Ｓとの間の重なる部分を、テープ４２の紙幣搬送部分４２Ｔとも呼ぶ。
【００４４】
一時保留部１７は、ドラム３１を巻取方向Ｒ１へ回転させることで、ドラム３１によりテープ４２を引っ張りながら、テープ４２を上述した経路で走行させ、テープ４２をドラム３１の周側面３１Ｓに巻き取っていく。また、一時保留部１７は、リール４１を巻取方向Ｓ２へ回転させると共にドラム３１を巻戻方向Ｒ２へ回転させることで、ドラム３１の周側面３１Ｓからテープ４２を引き剥がし、上述した経路を逆方向に走行させて、テープ４２をリール４１に巻き取っていく。よってテープ４２には、経路上の全ての箇所で張力が作用する。
【００４５】
この一時保留部１７では、紙幣ＢＬの収納時、ドラム３１を巻取方向Ｒ１へ回転させてテープ４２を走行させ、挿通孔３０Ｈから入り込んでくる紙幣ＢＬを、上側搬送ガイド３２と下側搬送ガイド３３との隙間に沿って後方へと搬送し、さらにテープ４２の紙幣搬送部分４２Ｔで中央を挟持して後方へ搬送する。そして一時保留部１７は、ドラム３１の回転に伴って、紙幣ＢＬを挟持しているテープ４２と共に、テープ４２に挟持された状態のまま紙幣ＢＬを周側面３１Ｓに巻き付けていく。このとき下側可動ガイド３４は、ドラム径の変化に追従して可動することにより、常にドラム当接ローラ３５を周側面３１Ｓに当接させる。
【００４６】
一方紙幣ＢＬの繰出時、一時保留部１７は、リール４１を巻取方向Ｓ２へ回転させると共にドラム３１を巻戻方向Ｒ２へ回転させてテープ４２を収納時とは逆方向に走行させることにより、ドラム３１に巻き付けられている紙幣ＢＬを、テープ４２と共にドラム３１から引き剥がしていく。ドラム３１から引き剥がされた紙幣ＢＬは、テープ４２の紙幣搬送部分４２Ｔで挟持されて前方へ搬送され、さらに上側搬送ガイド３２と下側搬送ガイド３３との隙間に沿って、紙幣ＢＬの面が延びる方向である面方向が搬送方向に沿うように前方へ搬送され、挿通孔３０Ｈから繰り出される。以下では紙幣の面方向に直交する方向を紙幣厚み方向とも呼ぶ。
【００４７】
上述した構成に加えて、一時保留部１７には、上側搬送ガイド３２の後側に、上側可動ガイド６０が設けられている。この上側可動ガイド６０は、図６に示すように、左右方向に延びる基部６０Ｂと、この基部６０Ｂの左右両端部のそれぞれから下方に延びる脚部６０Ｌ及び６０Ｒとで構成されており、後側（又は前側）から見たときに、下側が開いた略コの字型となっている。
【００４８】
この上側可動ガイド６０の後面（すなわちドラム３１と対向する面）は、ドラム３１の周側面３１Ｓに沿うように湾曲している。この上側可動ガイド６０の脚部６０Ｌ及び６０Ｒには、それぞれ外側面の下端近傍に、追従ローラ６１が回転可能に支持されている。この追従ローラ６１は、後側の一部分が上側可動ガイド６０の後面より後方に突出してドラム３１の周側面３１Ｓに当接する。
【００４９】
この上側可動ガイド６０は、基部６０Ｂの上端部分が上側搬送ガイド３２の後端部分の上端に回転可能に支持されており、スプリング６２によってドラム３１の周側面３１Ｓに押し付ける方向に付勢されている。これにより上側可動ガイド６０は、ドラム３１のドラム径の変化に追従するように可動して、常に追従ローラ６１をドラム３１の周側面３１Ｓに当接させる。
【００５０】
また上側可動ガイド６０は、脚部６０Ｌと脚部６０Ｒとの左右方向の間隔が、テープ４２の幅より僅かに大きく、これら脚部６０Ｌと脚部６０Ｒとの間に、テープ４２を走行させる。つまり上側可動ガイド６０は、ドラム３１から上側搬送ガイド３２の第２テープローラ４６へと引き出されてドラム３１へと折り返されるテープ４２の走行経路を避ける形状となっており、これにより、テープ４２の走行を妨げることなく可動する。
【００５１】
さらに、上側可動ガイド６０の脚部６０Ｌ及び６０Ｒの下面は、上側搬送ガイド３２の下面を延長したようなガイド面となっている。このガイド面は、例えば、上側可動ガイド６０の回転軸を中心とする円に沿うように湾曲している。脚部６０Ｌ及び６０Ｒの下端部には、左右方向に所定の幅を有する可動リブ６０Ｌｔ及び６０Ｒｔが、左右方向に一定間隔を空けて突設している。上側可動ガイド６０の可動リブ６０Ｌｔ及び６０Ｒｔは、上側搬送ガイド３２の搬送リブ７０Ｌ及び７０Ｒ（後述する）と噛み合うことにより、上側可動ガイド６０が可動しても、常に上側可動ガイド６０のガイド面と上側搬送ガイド３２のガイド面とが連結される。
【００５２】
図４（Ａ）に示したように紙幣がドラム３１に巻き付けられていない状態においては、可動リブ６０Ｌｔ及び６０Ｒｔの後端部は、上側搬送ガイド３２の搬送リブ７０Ｌ及び７０Ｒ（後述する）よりもドラム３１に近接するよう配置されることにより、露出した状態となる。一方図４（Ｂ）に示したように紙幣がドラム３１に巻き付けられ、設計上最も多くの紙幣がドラム３１に巻き付けられた状態に近付いていくと、可動リブ６０Ｌｔ及び６０Ｒｔの後端部は、上側搬送ガイド３２の搬送リブ７０Ｌ及び７０Ｒよりもドラム３１から僅かに離隔するよう配置されることにより、上側搬送ガイド３２の搬送リブ７０Ｌ及び７０Ｒの内側に退避した状態となる。このときは、上側搬送ガイド３２の搬送リブ７０Ｌ及び７０Ｒの後端部が、可動リブ６０Ｌｔ及び６０Ｒｔの後端部よりもドラム３１に近接する状態となることにより、露出した状態となる。
【００５３】
一時保留部１７は、このような上側可動ガイド６０を有している。これにより一時保留部１７は、例えば図７に示すように、ドラム３１から引き剥がした直後の紙幣ＢＬを、テープ４２の紙幣搬送部分４２Ｔで中央を挟持して、上側搬送ガイド３２と下側搬送ガイド３３との隙間へと搬送する際に、この紙幣ＢＬに両端が持ち上がるような折れ癖が付いていたとしても、紙幣搬送部分４２Ｔに挟持された紙幣ＢＬの上方に位置する上側可動ガイド６０によって、紙幣ＢＬの折れ曲がりを抑制し、上側搬送ガイド３２の後面等に引っ掛けたりすることなく、紙幣ＢＬをドラム３１の周側面３１Ｓから上側搬送ガイド３２と下側搬送ガイド３３との隙間へとガイドできる。
【００５４】
［１−４．上側搬送ガイドの構成］
図６に示すように上側搬送ガイド３２は、左右方向に延びる基部３２Ｂと、この基部３２Ｂにおける、テープ４２の左右両側において後方に延びる左右対称の搬送リブ７０Ｌ（搬送リブ７０Ｌａ、７０Ｌｂ及び７０Ｌｃ）並びに搬送リブ７０Ｒ（搬送リブ７０Ｒａ、７０Ｒｂ及び７０Ｒｃ）とで構成されている。また上側搬送ガイド３２は、左右方向のほぼ中央部に上側可動ガイド６０を配置させており、搬送リブ７０Ｌをテープ４２に対し搬送幅方向の左側に、搬送リブ７０Ｒをテープ４２に対し搬送幅方向の右側に配置させている。
【００５５】
また上側搬送ガイド３２は、搬送リブ７０Ｌと搬送リブ７０Ｒとの左右方向の間隔が、テープ４２の幅より僅かに大きく、これら搬送リブ７０Ｌと搬送リブ７０Ｒとの間に、テープ４２を走行させる。つまり上側搬送ガイド３２は、ドラム３１から上側搬送ガイド３２の第２テープローラ４６へと引き出されてドラム３１へと折り返されるテープ４２の走行経路を避ける形状となっている。
【００５６】
搬送リブ７０（搬送リブ７０Ｌ及び７０Ｒ）は、上側搬送ガイド３２（図４）の後端の下部分に形成されており、左右方向に所定の幅を有し、左右方向に一定間隔を空けて、後方に向かって複数個突設している。これにより搬送リブ７０は、櫛歯状に形成されている。また搬送リブ７０は、全体として、紙幣の搬送路における搬送幅方向の中央を対称軸として左右対称に一対ずつ、合計で６本設けられている。すなわち搬送リブ７０は、搬送幅方向の最も内側（中央）に位置する搬送リブ７０Ｌａ及び７０Ｒａと、搬送リブ７０Ｌａ及び７０Ｒａそれぞれに対し搬送幅方向の外側に位置する搬送リブ７０Ｌｂ及び７０Ｒｂと、搬送リブ７０Ｌｂ及び７０Ｒｂそれぞれに対し搬送幅方向の外側であり搬送幅方向の最も外側に位置する搬送リブ７０Ｌｃ及び７０Ｒｃとにより構成されている。またテープ４２と搬送リブ７０Ｌａ及び７０Ｒａと搬送幅方向の間隔は、搬送リブ７０Ｌａ、７０Ｌｂ及び７０Ｌｃ同士の間隔と、搬送リブ７０Ｒａ、７０Ｒｂ及び７０Ｒｃ同士の間隔よりも広くなっている。以下では搬送リブ７０Ｌａ、７０Ｌｂ及び７０Ｌｃをまとめて搬送リブ７０Ｌとも呼び、搬送リブ７０Ｒａ、７０Ｒｂ及び７０Ｒｃをまとめて搬送リブ７０Ｒとも呼び、搬送リブ７０Ｌａ及び７０Ｒａをまとめて搬送リブ７０ａとも呼び、搬送リブ７０Ｌｂ及び７０Ｒｂをまとめて搬送リブ７０ｂとも呼び、搬送リブ７０Ｌｃ及び７０Ｒｃをまとめて搬送リブ７０ｃとも呼び、搬送リブ７０Ｌ及び７０Ｒをまとめて搬送リブ７０とも呼ぶ。
【００５７】
図８に示すように搬送リブ７０Ｌａ、７０Ｌｂ及び７０Ｌｃは、後端が側面視において略三角形状となっており、前方から後方に向かうに連れて上下方向の長さが短くなっている。具体的に搬送リブ７０Ｌａ、７０Ｌｂ及び７０Ｌｃは、平面形状のガイド面７０ＢＳからそれぞれリブ屈曲部７０ＬＢａ、７０ＬＢｂ及び７０ＬＢｃにおいて、紙幣と対向する面が後方斜め上方向に屈曲し、搬送リブ７０Ｌａ、７０Ｌｂ及び７０Ｌｃの後端であるリブ先端部７０ＬＴａ、７０ＬＴｂ及び７０ＬＴｃへ向けて側面視で直線形状であり平面形状の傾斜ガイド面７０ＬＩａ、７０ＬＩｂ及び７０ＬＩｃが形成されている。なお図８においては下側可動ガイド３４等を適宜図示せず省略していると共に、上側搬送ガイド３２のうち搬送リブ７０のみを図示している。以下では搬送リブ７０Ｌについて主に説明するが、搬送リブ７０Ｒについてもテープ４２の搬送幅方向の中央を軸として搬送リブ７０Ｌと左右対称に構成されている。また搬送リブ７０Ｒにおいて搬送リブ７０Ｌと左右対称に構成され搬送リブ７０Ｌと対応する部材の符号は、搬送リブ７０Ｌにおける“Ｌ”の文字を“Ｒ”の文字に置換して示す。また以下ではリブ屈曲部７０ＬＢａ、７０ＬＢｂ及び７０ＬＢｃをまとめてリブ屈曲部７０ＬＢとも呼び、リブ屈曲部７０ＲＢａ、７０ＲＢｂ及び７０ＲＢｃをまとめてリブ屈曲部７０ＲＢとも呼び、リブ屈曲部７０ＬＢ及び７０ＲＢをまとめてリブ屈曲部７０Ｂとも呼び、リブ先端部７０ＬＴａ、７０ＬＴｂ及び７０ＬＴｃをまとめてリブ先端部７０ＬＴとも呼び、リブ先端部７０ＲＴａ、７０ＲＴｂ及び７０ＲＴｃをまとめてリブ先端部７０ＲＴとも呼び、リブ先端部７０ＬＴ及び７０ＲＴをまとめてリブ先端部７０Ｔとも呼び、傾斜ガイド面７０ＬＩａ、７０ＬＩｂ及び７０ＬＩｃをまとめて傾斜ガイド面７０ＬＩとも呼び、傾斜ガイド面７０ＲＩａ、７０ＲＩｂ及び７０ＲＩｃをまとめて傾斜ガイド面７０ＲＩとも呼び、傾斜ガイド面７０ＬＩ及び７０ＲＩをまとめて傾斜ガイド面７０Ｉとも呼ぶ。傾斜ガイド面７０ＬＩは、搬送方向と、紙幣の紙幣厚み方向のうちドラム３１に収納されていた際に回転軸３１Ｘと対向していた側の面が向く方向である収納時回転軸対向方向Ｄ１（図７）とに対向する面である。
【００５８】
搬送リブ７０Ｌｂのリブ先端部７０ＬＴｂは、搬送リブ７０Ｌａのリブ先端部７０ＬＴａと比較して、上下方向で同じ位置であり、且つ前方へ先端退避量ＤＴＥだけ移動している。すなわち搬送リブ７０Ｌｂは搬送リブ７０Ｌａと比較して、リブ先端部７０ＬＴｂがリブ先端部７０ＬＴａよりも先端退避量ＤＴＥだけドラム３１から離隔するように短く形成されている。また搬送リブ７０Ｌｂと搬送リブ７０Ｌａにおける紙幣と対向する面は、側面視で互いに同じ位置のリブ屈曲部７０ＬＢａ及び７０ＬＢｂから後方斜め上方向に屈曲している。このため搬送リブ７０Ｌｂの傾斜ガイド面７０ＬＩｂは、搬送リブ７０Ｌａの傾斜ガイド面７０ＬＩａと比較して、ガイド面７０ＢＳに対する傾斜角度が大きくなっている。
【００５９】
搬送リブ７０Ｌｃのリブ先端部７０ＬＴｃは、搬送リブ７０Ｌｂのリブ先端部７０ＬＴｂと比較して、上下方向で同じ位置であり、且つ前方へ先端退避量ＤＴＥだけ移動している。すなわち搬送リブ７０Ｌｃは搬送リブ７０Ｌｂと比較して、リブ先端部７０ＬＴｃが先端退避量ＤＴＥだけドラム３１から離隔するように短く形成されている。また搬送リブ７０Ｌｃと搬送リブ７０Ｌｂにおける紙幣と対向する面は、側面視で互いに同じ位置のリブ屈曲部７０ＬＢｂ及び７０ＬＢｃから後方斜め上方向に屈曲している。このため搬送リブ７０Ｌｃの傾斜ガイド面７０ＬＩｃは、搬送リブ７０Ｌｂの傾斜ガイド面７０ＬＩｂと比較して、ガイド面７０ＢＳに対する傾斜角度が大きくなっている。
【００６０】
これにより搬送リブ７０Ｌは、搬送幅方向の最も内側、すなわち最もテープ４２に近接する側に位置する搬送リブ７０Ｌａから搬送幅方向の最も外側、すなわち最もテープ４２から離隔する側に位置する搬送リブ７０Ｌｃに向かって階段状に（すなわち段階的に）に短くなっている。このため搬送リブ７０は、左右それぞれの各搬送リブ７０ａ、７０ｂ及び７０ｃのリブ先端部７０Ｔを結ぶ仮想線Ｌ１が、紙幣の搬送方向先端側の端面の直線形状に合わせて、搬送幅方向においてテープ４２に近接する側から離隔する側へ向かうに連れて前方へ傾斜する直線状となっている。これにより搬送リブ７０Ｌは、搬送幅方向においてテープ４２に近接する搬送リブ７０Ｌａから、テープ４２から離隔する搬送リブ７０Ｌｃに向かって、ドラム３１とリブ先端部７０Ｔとの間隔であるドラムリブ間隔が階段状に（すなわち段階的に）に広くなり、ドラム３１から遠ざかっている。換言すれば一時保留部１７は、ドラム３１から繰り出される際の紙幣の搬送方向に沿って、搬送リブ７０Ｌａのリブ先端部７０ＬＴａ、搬送リブ７０Ｌｂのリブ先端部７０ＬＴｂ、搬送リブ７０Ｌｃのリブ先端部７０ＬＴｃの順番となるよう搬送リブ７０Ｌを配置している。以上は搬送リブ７０Ｌについて主に説明したが、搬送リブ７０Ｒについてもテープ４２の搬送幅方向の中央を軸として搬送リブ７０Ｌと左右対称に構成されている。
【００６１】
［１−５．動作及び効果等］
以上の構成において、紙幣ＢＬを繰り出す際、一時保留部１７は、ドラム３１を巻戻方向Ｒ２へ回転させると共にリール４１を巻取方向Ｓ２へ回転させることにより、該リール４１にテープ４２を巻き取っていく。これにより一時保留部１７は、紙幣ＢＬをドラム３１の外周から引き剥がして、紙幣搬送部分４２Ｔを介し外部に繰り出す。
【００６２】
このとき、図１８及び図１９に示したように両端が持ち上がるような折れ癖が付いた（すなわち長手方向の両端部分がドラム３１の回転に伴って浮き上がってめくれた）紙幣ＢＬが、左側が先行するようにスキューして搬送された場合について検討する。また図４（Ｂ）に示したように、紙幣ＢＬがドラム３１に多く巻き付けられ、上側搬送ガイド３２の搬送リブ７０Ｌ及び７０Ｒの後端部が、可動リブ６０Ｌｔ及び６０Ｒｔの後端部よりもドラム３１側に露出した状態とする。
【００６３】
このとき紙幣ＢＬが上側へめくれる捲れ量は、長手方向の中央部はテープ４２で挟まれているため、長手方向の両端部よりも中央部寄りの方が小さくなる。一時保留部１７は、テープ４２により紙幣ＢＬの長手方向の中央部分を下方向に向かって押さえつつ、図９に示すように紙幣ＢＬの搬送方向の先端部である搬送方向端部が搬送リブ７０Ｌａのリブ先端部７０ＬＴａよりも前側に位置するまで紙幣ＢＬを搬送する。このとき、紙幣ＢＬの長手方向の中央部に近く捲れ量が少ない箇所である長手方向中央部よりもやや左寄りの箇所が搬送リブ７０Ｌａの傾斜ガイド面７０ＬＩａに接触する。
【００６４】
これにより一時保留部１７は、紙幣ＢＬの搬送方向先端部が搬送リブ７０Ｌａとドラム３１との間に入り込んでしまうことを防ぎつつ、紙幣ＢＬの捲れを搬送リブ７０Ｌａの傾斜ガイド面７０ＬＩａにより下方向に押さえながら、図１０に示すように紙幣ＢＬの搬送方向先端部が搬送リブ７０Ｌｂのリブ先端部７０ＬＴｂよりも前側に位置するまで紙幣ＢＬを搬送する。このとき、搬送リブ７０Ｌａにより捲れが抑制された紙幣ＢＬの長手方向の中央部と左端部との中間部付近の箇所が搬送リブ７０Ｌｂの傾斜ガイド面７０ＬＩｂに接触する。
【００６５】
これにより一時保留部１７は、紙幣ＢＬの搬送方向先端部が搬送リブ７０Ｌｂとドラム３１との間に入り込んでしまうことを防ぎつつ、紙幣ＢＬの捲れを搬送リブ７０Ｌｂの傾斜ガイド面７０ＬＩｂにより下方向に押さえながら、図１１に示すように紙幣ＢＬの搬送方向先端部が搬送リブ７０Ｌｃのリブ先端部７０ＬＴｃよりも前側に位置するまで紙幣ＢＬを搬送する。このとき、搬送リブ７０Ｌａ及び７０Ｌｂにより捲れが抑制された紙幣ＢＬの右端部付近の箇所が搬送リブ７０Ｌｃの傾斜ガイド面７０ＬＩｃに接触する。
【００６６】
これにより一時保留部１７は、紙幣ＢＬの搬送方向端部が搬送リブ７０Ｌｃとドラム３１との間に入り込んでしまうことを防ぎつつ、紙幣ＢＬの捲れを搬送リブ７０Ｌｃの傾斜ガイド面７０ＬＩｃにより下方向に押さえながら、挿通孔３０Ｈまで紙幣ＢＬを搬送する。
【００６７】
このように一時保留部１７は、紙幣ＢＬの長手方向のうち、テープ４２で押さえられている中央部に近く捲れ量が少ないところから端部に向かって、徐々に搬送リブ７０に当接させ、少しずつ紙幣ＢＬの捲れを押さえつつ搬送するようにした。このため一時保留部１７は、紙幣ＢＬの一部がめくれたとしても、搬送リブ７０とドラム３１との間に入り込ませることなく紙幣ＢＬを繰り出すことができる。これにより一時保留部１７は、上側搬送ガイド３２の後面等に引っ掛けたりすることなく、ドラム３１から引き剥がした紙幣ＢＬを、上側搬送ガイド３２と下側搬送ガイド３３との隙間へとガイドできる。かくして一時保留部１７は、接触すべきでない部分に紙幣ＢＬが接触して搬送不良を引き起こしてしまうことを防ぐことができる。
【００６８】
以上の構成によれば現金自動取引装置１は、取引すべき紙葉状の媒体である紙幣を外部から取り込む入出金部１４と、紙幣を搬送する搬送部１５と、回転可能に支持され、紙幣を周側面３１Ｓに巻き付けるドラム３１と、ドラム３１の回転に伴い該周側面３１Ｓとの間に紙幣を挟んで巻き付けるテープ４２と、ドラム３１の周側面３１Ｓから離れた位置に配され、搬送方向に沿って搬送される紙幣における搬送方向に直交する搬送幅方向においてテープ４２が紙幣に当接する箇所以外の部分において紙幣に対向し紙幣の搬送をガイドする上側搬送ガイド３２とを設け、上側搬送ガイド３２においてドラム３１と対向するリブ先端部７０ＬＴ及び７０ＲＴは、搬送幅方向においてテープ４２から離隔する側とドラム３１の周側面３１Ｓとの間隔が、搬送幅方向においてテープ４２に近接する側とドラム３１の周側面３１Ｓとの間隔以上であるようにした。これにより現金自動取引装置１は、紙幣の長手方向のうちテープ４２に押さえられており捲れ量が少ない中央部から端部に向かって、徐々に搬送リブ７０に紙幣を当接させ、少しずつ紙幣の捲れを押さえつつ搬送できる。
【００６９】
［２．第２の実施の形態］
［２−１．現金自動取引装置及び紙幣入出金機の内部構成］
第２の実施の形態による現金自動取引装置１０１（図１及び図２）は、第１の実施の形態による現金自動取引装置１と比較して、紙幣入出金機１０に代わる紙幣入出金機１１０を有する点において相違するものの、他の点については同様に構成されている。紙幣入出金機１１０は、第１の実施の形態による紙幣入出金機１０と比較して、一時保留部１７に代わる一時保留部１１７を有する点において相違するものの、他の点については同様に構成されている。
【００７０】
［２−２．一時保留部の構成］
図８（Ａ）と対応する部材に同一符号を付した図１２に示すように、一時保留部１１７は、第１の実施の形態による一時保留部１７と比較して、搬送リブ７０（搬送リブ７０Ｌ及び７０Ｒ）に代わる搬送リブ１７０（搬送リブ１７０Ｌ及び１７０Ｒ）を有する点において相違するものの、他の点については同様に構成されている。
【００７１】
［２−３．搬送リブの構成］
搬送リブ１７０Ｌａ、１７０Ｌｂ及び１７０Ｌｃは、平面形状のガイド面１７０ＢＳからそれぞれリブ屈曲部１７０ＬＢａ、１７０ＬＢｂ及び１７０ＬＢｃにおいて、紙幣と対向する面が後方斜め上方向に屈曲し、搬送リブ１７０Ｌａ、１７０Ｌｂ及び１７０Ｌｃの後端であるリブ先端部１７０ＬＴａ、１７０ＬＴｂ及び１７０ＬＴｃへ向けて、平面形状の傾斜ガイド面１７０ＬＩａ、１７０ＬＩｂ及び１７０ＬＩｃが形成されている。以下では搬送リブ１７０Ｌについて主に説明するが、搬送リブ１７０Ｒについてもテープ４２の搬送幅方向の中央を軸として搬送リブ７０Ｌと左右対称に構成されている。また搬送リブ７０Ｒにおいて搬送リブ７０Ｌと左右対称に構成され搬送リブ７０Ｌと対応する部材の符号は、搬送リブ７０Ｌにおける“Ｌ”の文字を“Ｒ”の文字に置換して示す。また以下では搬送リブ１７０Ｌａ、１７０Ｌｂ及び１７０Ｌｃをまとめて搬送リブ１７０Ｌとも呼び、搬送リブ１７０Ｒａ、１７０Ｒｂ及び１７０Ｒｃ（図示せず）をまとめて搬送リブ１７０Ｒとも呼び、搬送リブ１７０Ｌａ及び１７０Ｒａをまとめて搬送リブ１７０ａとも呼び、搬送リブ１７０Ｌｂ及び１７０Ｒｂをまとめて搬送リブ１７０ｂとも呼び、搬送リブ１７０Ｌｃ及び１７０Ｒｃをまとめて搬送リブ１７０ｃとも呼び、搬送リブ１７０Ｌ及び１７０Ｒをまとめて搬送リブ１７０とも呼び、リブ屈曲部１７０ＬＢａ、１７０ＬＢｂ及び１７０ＬＢｃをまとめてリブ屈曲部１７０ＬＢとも呼び、リブ先端部１７０ＬＴａ、１７０ＬＴｂ及び１７０ＬＴｃをまとめてリブ先端部１７０ＬＴとも呼び、傾斜ガイド面１７０ＬＩａ、１７０ＬＩｂ及び１７０ＬＩｃをまとめて傾斜ガイド面１７０ＬＩとも呼ぶ。
【００７２】
搬送リブ１７０Ｌｂのリブ先端部１７０ＬＴｂは、搬送リブ１７０Ｌａのリブ先端部１７０ＬＴａと比較して、上下方向で同じ位置であり、且つ前方へ先端退避量ＤＴＥだけ移動している。すなわち搬送リブ１７０Ｌｂは搬送リブ１７０Ｌａと比較して、リブ先端部１７０ＬＴｂがリブ先端部１７０ＬＴａよりも先端退避量ＤＴＥだけドラム３１から離隔するように短く形成されている。また搬送リブ１７０Ｌｂのリブ屈曲部１７０ＬＢｂは、搬送リブ１７０Ｌａのリブ屈曲部１７０ＬＢａと比較して、前方へ先端退避量ＤＴＥだけ移動している。すなわち搬送リブ１７０Ｌｂは搬送リブ１７０Ｌａと比較して、リブ屈曲部１７０ＬＢｂがリブ屈曲部１７０ＬＢａよりも先端退避量ＤＴＥだけドラム３１から離隔するように短く形成されている。このため搬送リブ１７０Ｌｂの傾斜ガイド面１７０ＬＩｂは、搬送リブ１７０Ｌａの傾斜ガイド面１７０ＬＩａと比較して、ガイド面１７０ＢＳに対する傾斜角度が同等になっている。
【００７３】
搬送リブ１７０Ｌｃのリブ先端部１７０ＬＴｃは、搬送リブ１７０Ｌｂのリブ先端部１７０ＬＴｂと比較して、上下方向で同じ位置であり、且つ前方へ先端退避量ＤＴＥだけ移動している。すなわち搬送リブ１７０Ｌｃは搬送リブ１７０Ｌａと比較して、リブ先端部１７０ＬＴｃがリブ先端部１７０ＬＴｂよりも先端退避量ＤＴＥだけドラム３１から離隔するように短く形成されている。また搬送リブ１７０Ｌｃのリブ屈曲部１７０ＬＢｃは、搬送リブ１７０Ｌｂのリブ屈曲部１７０ＬＢｂと比較して、前方へ先端退避量ＤＴＥだけ移動している。すなわち搬送リブ１７０Ｌｃは搬送リブ１７０Ｌｂと比較して、リブ屈曲部１７０ＬＢｃがリブ屈曲部１７０ＬＢｂよりも先端退避量ＤＴＥだけドラム３１から離隔するように短く形成されている。このため搬送リブ１７０Ｌｃの傾斜ガイド面１７０ＬＩｃは、搬送リブ１７０Ｌｂの傾斜ガイド面１７０ＬＩｂと比較して、ガイド面１７０ＢＳに対する傾斜角度が同等になっている。
【００７４】
このように搬送リブ１７０は、搬送リブ１７０Ｌａから搬送リブ１７０Ｌｃに向かって、ドラム３１とリブ先端部１７０Ｔ及びリブ屈曲部１７０Ｂとの間隔が階段状に（すなわち段階的に）に広くなり、ドラム３１から遠ざかっている。以上は搬送リブ１７０Ｌについて主に説明したが、搬送リブ１７０Ｒについてもテープ４２の搬送幅方向の中央を軸として搬送リブ１７０Ｌと左右対称に構成されている。
【００７５】
かかる構成において紙幣を繰り出す際、一時保留部１１７は、搬送リブ１７０ａ、１７０ｂ及び１７０ｃにより紙幣の捲れを徐々に矯正しつつ挿通孔３０Ｈまで紙幣を搬送する。
【００７６】
その他の点においても、第２の実施の形態による一時保留部１１７は、第１の実施の形態による一時保留部１７と同様の作用効果を奏し得る。
【００７７】
［３．第３の実施の形態］
［３−１．現金自動取引装置及び紙幣入出金機の内部構成］
第２の実施の形態による現金自動取引装置２０１（図１及び図２）は、第１の実施の形態による現金自動取引装置１と比較して、紙幣入出金機１０に代わる紙幣入出金機２１０を有する点において相違するものの、他の点については同様に構成されている。紙幣入出金機２１０は、第１の実施の形態による紙幣入出金機１０と比較して、一時保留部１７に代わる一時保留部２１７を有する点において相違するものの、他の点については同様に構成されている。
【００７８】
［３−２．一時保留部の構成］
図８（Ｂ）と対応する部材に同一符号を付した図１３に示すように、一時保留部２１７は、第１の実施の形態による一時保留部１７と比較して、搬送リブ７０（搬送リブ７０Ｌ及び７０Ｒ）に代わる搬送リブ２７０（搬送リブ２７０Ｌ及び２７０Ｒ）を有する点において相違するものの、他の点については同様に構成されている。
【００７９】
［３−３．搬送リブの構成］
搬送リブ２７０Ｌａと搬送リブ２７０Ｌｂとは、リブ先端部２７０ＬＴａとリブ先端部７０ＬＴｂとが前後方向の同じ箇所に位置している。搬送リブ２７０Ｌｃのリブ先端部２７０ＬＴｃは、搬送リブ２７０Ｌｂのリブ先端部２７０ＬＴｂと比較して、上下方向で同じ位置であり、且つ前方へ移動している。すなわち搬送リブ２７０Ｌｃは搬送リブ２７０Ｌｂと比較して、リブ先端部２７０ＬＴｃがドラム３１から離隔するように短く形成されている。
【００８０】
以下では搬送リブ２７０Ｌａ、２７０Ｌｂ及び２７０Ｌｃをまとめて搬送リブ２７０Ｌとも呼び、搬送リブ２７０Ｒａ、２７０Ｒｂ及び２７０Ｒｃをまとめて搬送リブ２７０Ｒとも呼び、搬送リブ２７０Ｌａ及び２７０Ｒａをまとめて搬送リブ２７０ａとも呼び、搬送リブ２７０Ｌｂ及び２７０Ｒｂをまとめて搬送リブ２７０ｂとも呼び、搬送リブ２７０Ｌｃ及び２７０Ｒｃをまとめて搬送リブ２７０ｃとも呼び、搬送リブ２７０Ｌ及び２７０Ｒをまとめて搬送リブ２７０とも呼び、リブ先端部２７０ＬＴａ、２７０ＬＴｂ及び２７０ＬＴｃをまとめてリブ先端部２７０ＬＴとも呼び、搬送リブ２７０Ｒａのリブ先端部２７０ＲＴａ、搬送リブ２７０Ｒｂのリブ先端部２７０ＲＴｂ及び搬送リブ２７０Ｒｃのリブ先端部２７０ＲＴｃをまとめてリブ先端部２７０ＲＴとも呼び、リブ先端部２７０ＬＴ及び２７０ＲＴをまとめてリブ先端部２７０Ｔとも呼ぶ。
【００８１】
このように搬送リブ２７０は、搬送リブ２７０ａと搬送リブ２７０ｂとが同じ長さであると共に、搬送リブ２７０ｃが搬送リブ２７０ａ及び２７０ｂよりも短くなっているため、搬送リブ２７０ａ及び２７０ｂよりも搬送リブ２７０ｃの方がドラムリブ間隔が広くなり、ドラム３１から遠ざかっている。このため左右それぞれの各搬送リブ２７０ａ、２７０ｂ及び２７０ｃのリブ先端部２７０Ｔを結ぶ仮想線は直線状となっていない。
【００８２】
第３の実施の形態による一時保留部２１７は、第１の実施の形態による一時保留部１７と同様の作用効果を奏し得る。
【００８３】
［４．第４の実施の形態］
［４−１．現金自動取引装置及び紙幣入出金機の内部構成］
第４の実施の形態による現金自動取引装置３０１（図１及び図２）は、第１の実施の形態による現金自動取引装置１と比較して、紙幣入出金機１０に代わる紙幣入出金機３１０を有する点において相違するものの、他の点については同様に構成されている。紙幣入出金機３１０は、第１の実施の形態による紙幣入出金機１０と比較して、一時保留部１７に代わる一時保留部３１７を有する点において相違するものの、他の点については同様に構成されている。
【００８４】
［４−２．一時保留部の構成］
図８（Ｂ）と対応する部材に同一符号を付した図１４に示すように、一時保留部３１７は、第１の実施の形態による一時保留部１７と比較して、搬送リブ７０（搬送リブ７０Ｌ及び７０Ｒ）に代わる搬送リブ３７０（搬送リブ３７０Ｌ及び３７０Ｒ）を有する点において相違するものの、他の点については同様に構成されている。
【００８５】
［４−３．搬送リブの構成］
搬送リブ３７０Ｌは、搬送リブ７０Ｌａ、７０Ｌｂ及び７０Ｌｃ（図８（Ｂ））を搬送幅方向に含むように全体として板状に形成されている。また搬送リブ３７０Ｒは、搬送リブ７０Ｒａ、７０Ｒｂ及び７０Ｒｃ（図８（Ｂ））を搬送幅方向に含むように全体として板状に形成されている。以下では搬送リブ３７０Ｌ及び３７０Ｒをまとめて搬送リブ３７０とも呼び、リブ先端部３７０ＬＴ及び３７０ＲＴをまとめてリブ先端部３７０Ｔとも呼ぶ。搬送リブ３７０は、搬送幅方向において最もテープ４２に近接する側から搬送幅方向において最もテープ４２から離隔する側に向かって直線状に短くなっており、ドラム３１とリブ先端部３７０Ｔとの間隔が徐々に広くなり、ドラム３１から遠ざかっている。この搬送リブ３７０は、上側可動ガイド６０が可動しない場合に適用可能である。
【００８６】
第４の実施の形態による一時保留部３１７は、第１の実施の形態による一時保留部１７と同様の作用効果を奏し得る。
【００８７】
［５．第５の実施の形態］
［５−１．現金自動取引装置及び紙幣入出金機の内部構成］
第５の実施の形態による現金自動取引装置４０１（図１及び図２）は、第１の実施の形態による現金自動取引装置１と比較して、紙幣入出金機１０に代わる紙幣入出金機４１０を有する点において相違するものの、他の点については同様に構成されている。紙幣入出金機４１０は、第１の実施の形態による紙幣入出金機１０と比較して、一時保留部１７に代わる一時保留部４１７を有する点において相違するものの、他の点については同様に構成されている。
【００８８】
［５−２．一時保留部の構成］
図８（Ｂ）と対応する部材に同一符号を付した図１５に示すように、一時保留部４１７は、第１の実施の形態による一時保留部１７と比較して、搬送リブ７０（搬送リブ７０Ｌ及び７０Ｒ）に代わる搬送リブ４７０（搬送リブ４７０Ｌ及び４７０Ｒ）を有する点において相違するものの、他の点については同様に構成されている。
【００８９】
［５−３．搬送リブの構成］
以下では搬送リブ４７０Ｌａ、４７０Ｌｂ及び４７０Ｌｃをまとめて搬送リブ４７０Ｌとも呼び、搬送リブ４７０Ｒａ、４７０Ｒｂ及び４７０Ｒｃをまとめて搬送リブ４７０Ｒとも呼び、搬送リブ４７０Ｌａ及び４７０Ｒａをまとめて搬送リブ４７０ａとも呼び、搬送リブ４７０Ｌｂ及び４７０Ｒｂをまとめて搬送リブ４７０ｂとも呼び、搬送リブ４７０Ｌｃ及び４７０Ｒｃをまとめて搬送リブ４７０ｃとも呼び、搬送リブ４７０Ｌ及び４７０Ｒをまとめて搬送リブ４７０とも呼び、リブ先端部４７０ＬＴａ、４７０ＬＴｂ、４７０ＬＴｃ、４７０ＲＴａ、４７０ＲＴｂ及び４７０ＲＴｃをまとめてリブ先端部４７０Ｔとも呼ぶ。
【００９０】
左右それぞれの各搬送リブ４７０ａ、４７０ｂ及び４７０ｃのリブ先端部４７０Ｔを結ぶ仮想線Ｌ２は、搬送幅方向においてテープ４２に近接する側から離隔する側へ向かうに連れて前方へ湾曲する曲線状となっている。
【００９１】
第５の実施の形態による一時保留部４１７は、第１の実施の形態による一時保留部１７と同様の作用効果を奏し得る。
【００９２】
［６．他の実施の形態］
なお上述した第１の実施の形態においては、１本のテープ４２を有する一時保留部１７に本発明を適用する場合について述べた。本発明はこれに限らず、図１６に示すように２本のテープ４２を有する一時保留部５１７や、３本以上の任意の本数のテープを有する一時保留部に本発明を適用しても良い。２本のテープ４２を有する場合、それぞれのテープ４２の左右両側に、搬送リブ７０Ｌ及び７０Ｒを形成すれば良い。第２乃至第５の実施の形態についても同様である。
【００９３】
また、テープ４２に加えて、テープ４２から左右それぞれ離れた位置において１本ずつ配され紙幣をドラム３１に押さえ付ける補助テープを有する、３本のテープを用いる一時保留部に本発明を適用しても良い。１本のテープ４２で紙幣をドラムに押さえ付けるタイプであっても、３本のテープで紙幣をドラム３１に押さえ付けるタイプであっても、ドラム３１の周側面３１Ｓから引き剥がされた直後の紙幣ＢＬは、中央をテープ４２のみで挟持された状態となるため、例えば、この紙幣ＢＬに両端が持ち上がるような折れ癖が付いていると、紙幣の両端が持ち上がってしまうため、本発明の効果を奏する。第２乃至第５の実施の形態についても同様である。
【００９４】
さらに上述した第１の実施の形態においては、搬送リブ７０をテープ４２の左右片側３本ずつ合計で６本設ける場合について述べた。本発明はこれに限らず、搬送リブ７０を左右片側２本以上ずつ合計で４本以上任意の本数設けても良い。第２乃至第５の実施の形態についても同様である。
【００９５】
さらに上述した第１の実施の形態においては、傾斜ガイド面７０Ｉを平面形状とする場合について述べた。本発明はこれに限らず、傾斜ガイド面７０Ｉを湾曲形状等、種々の形状としても良い。第２乃至第５の実施の形態についても同様である。
【００９６】
さらに上述した第１の実施の形態においては、上側搬送ガイド３２に本発明を適用する場合について述べた。本発明はこれに限らず、上側可動ガイド６０、下側可動ガイド３４又は下側搬送ガイド３３に本発明を適用しても良い。第２乃至第５の実施の形態についても同様である。
【００９７】
また上述した第１の実施の形態においては、一時保留部１７における、紙幣入出金機１０の搬送部１５との受渡部に本発明を適用する場合について述べた。本発明はこれに限らず、ベルトに紙幣を当接させつつベルトを回転させることで紙幣を搬送する一方のベルト搬送路と他方のベルト搬送路との受渡部に本発明を適用しても良い。第２乃至第５の実施の形態についても同様である。
【００９８】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【００９９】
さらに上述した実施の形態においては、現金を取引する現金自動取引装置１に本発明を適用する場合について述べた。本発明はこれに限らず、例えば商品券や金券、入場券等のような薄い紙状の媒体を取り扱う種々の装置に本発明を適用しても良い。また、例えば紙幣を入出する紙幣入出金機や紙幣を所定枚数毎に施封する施封小束支払機等、紙幣や硬貨の取引に関する種々の処理を行う複数種類の装置の組み合わせにより構成された現金処理装置に本発明を適用してもよい。
【０１００】
さらに上述した第１の実施の形態においては、取込部としての入出金部１４と、搬送部としての搬送部１５と、ドラムとしてのドラム３１と、テープとしてのテープ４２と、媒体搬送ガイドとしての上側搬送ガイド３２とによって、自動取引装置としての現金自動取引装置１を構成する場合について述べた。本発明はこれに限らず、その他種々の構成でなる取込部と、搬送部と、ドラムと、テープと、媒体搬送ガイドとによって、媒体取引装置を構成しても良い。
【産業上の利用可能性】
【０１０１】
本発明は、紙葉状の媒体をドラムに巻き付けて一時的に保留する種々の装置でも利用できる。
【符号の説明】
【０１０２】
１、１０１、２０１、３０１、４０１……現金自動取引装置、２……筐体、３……顧客応対部、４……カード入出口、５……入出金口、６……操作表示部、７……テンキー、８……レシート発行口、９……主制御部、１０、１１０、２１０、３１０、４１０……紙幣入出金機、１０Ｕ……上部ユニット、１０Ｄ……下部ユニット、１２……紙幣制御部、１３……記憶部、１４……入出金部、１５……搬送部、１６……鑑別部、１７、１１７、２１７、３１７、４１７……一時保留部、１８……紙幣収納庫、１９Ｕ……上側リジェクト庫、１９Ｄ……下側リジェクト庫、２０……下部フレーム、２１……振分搬送部、３０……フレーム、３０Ｈ……挿通孔、３１……ドラム、３１Ｘ……回転軸、３１Ｓ……周側面、３１Ｗ……巻付層、３２……上側搬送ガイド、３２Ｂ……基部、３３……下側搬送ガイド、３４……下側可動ガイド、３５……ドラム当接ローラ、４１……リール、４１Ｘ……回転軸、４２……テープ、４２Ｔ……紙幣搬送部分、４３……ローラ、４４……第１テープローラ、４５……フィードローラ、４６……第２テープローラ、６０……上側可動ガイド、６０Ｌｔ、６０Ｒｔ……可動リブ、６０Ｂ……基部、６０Ｌ、６０Ｒ……脚部、６１……追従ローラ、６２……スプリング、７０Ｌａ、７０Ｌｂ、７０Ｌｃ、７０Ｒａ、７０Ｒｂ、７０Ｒｃ、１７０Ｌａ、１７０Ｌｂ、１７０Ｌｃ、１７０Ｒａ、１７０Ｒｂ、１７０Ｒｃ、２７０Ｌａ、２７０Ｌｂ、２７０Ｌｃ、２７０Ｒａ、２７０Ｒｂ、２７０Ｒｃ、３７０Ｌ、３７０Ｒ……搬送リブ、７０ＬＴａ、７０ＬＴｂ、７０ＬＴｃ、７０ＲＴａ、７０ＲＴｂ、７０ＲＴｃ、１７０ＬＴａ、１７０ＬＴｂ、１７０ＬＴｃ、３７０ＬＴ、３７０ＲＴ……リブ先端部、７０ＬＢａ、７０ＬＢｂ、７０ＬＢｃ、１７０ＬＢａ、１７０ＬＢｂ、１７０ＬＢｃ……リブ屈曲部、７０ＬＩａ、７０ＬＩｂ、７０ＬＩｃ、１７０ＬＩａ、１７０ＬＩｂ、１７０ＬＩｃ……傾斜ガイド面、７０ＢＳ、１７０ＢＳ……ガイド面、ＤＴＥ……先端退避量、Ｒ１……巻取方向、Ｒ２……巻戻方向、Ｓ１……引出方向、Ｓ２……巻取方向。
【図１】
2019139318.tif 000003
【図２】
2019139318.tif 000004
【図３】
2019139318.tif 000005
【図４】
2019139318.tif 000006
【図５】
2019139318.tif 000007
【図６】
2019139318.tif 000008
【図７】
2019139318.tif 000009
【図８】
2019139318.tif 000010
【図９】
2019139318.tif 000011
【図１０】
2019139318.tif 000012
【図１１】
2019139318.tif 000013
【図１２】
2019139318.tif 000014
【図１３】
2019139318.tif 000015
【図１４】
2019139318.tif 000016
【図１５】
2019139318.tif 000017
【図１６】
2019139318.tif 000018
【図１７】
2019139318.tif 000019
【図１８】
2019139318.tif 000020
【図１９】
2019139318.tif 000021
【図２０】
2019139318.tif 000022
【図２１】
2019139318.tif 000023